(57)【要約】【課題】ＤＣ電源と放送信号を一本のケーブルでテレビ受像機に供給することのできる電源アダプタを提供する。【解決手段】電源アダプタ内のＡＣ−ＤＣコンバータ回路で商用ＡＣ電源から生成されたＤＣ電源に、屋外アンテナで受信された放送信号を混合器で重畳し、一本のＤＣ供給ケーブルを使ってテレビ受像機に供給する。また、電源アダプタ内で衛星放送受信アンテナを駆動するＤＣ電源を生成し、同軸ケーブルを通じて衛星放送受信アンテナに供給することによって、テレビ受像機から衛星放送受信アンテナへのＤＣ電源の供給路を不要にする。【選択図】図４
2009164879.tif 000002
【特許請求の範囲】
【請求項１】
放送信号を処理する放送受信機にＤＣ電源を供給する電源アダプタであって、
ＡＣ電源からＤＣ電源を生成する変換器と、
放送信号を入力する放送信号入力部と、
前記放送信号入力部より入力された放送信号を前記変換器の出力に混合する混合器と、
前記混合器の出力を前記放送受信機に供給する供給部と
を具備することを特徴とする電源アダプタ。
【請求項２】
請求項１に記載の電源アダプタであって、
前記放送信号入力部より入力された放送信号を増幅する増幅回路をさらに有し、
前記混合器は、前記増幅回路の出力と前記変換器の出力とを混合することを特徴とする電源アダプタ。
【請求項３】
請求項１に記載の電源アダプタであって、
前記放送信号入力部が、異なる複数の放送形態の放送信号を入力することが可能とされ、
前記混合器は、前記放送信号入力部により入力された前記複数の放送形態の放送信号と前記変換器の出力とを混合することを特徴とする電源アダプタ。
【請求項４】
請求項１に記載の電源アダプタであって、
前記放送信号入力部は、外部のアンテナからケーブルを通じて放送信号を入力するものであって、
前記アンテナに駆動用のＤＣ電源を、前記放送信号入力部と前記アンテナとの間に接続された前記ケーブルを通じて供給するアンテナ用ＤＣ電源供給部をさらに具備することを特徴とする電源アダプタ。
【請求項５】
放送信号を処理する放送受信機と、この機器にＤＣ電源を供給する電源アダプタとを有する電源システムであって、
前記電源アダプタは、
ＡＣ電源からＤＣ電源を生成する変換器と、
放送信号を入力する放送信号入力部と、
前記放送信号入力部より入力された放送信号を前記変換器の出力に混合する混合器と、
前記混合器の出力を前記放送受信機に供給する供給部と
を具備し、
前記放送受信機は、
前記電源アダプタの出力から前記ＤＣ電源と前記放送信号を分離する分波部を具備することを特徴とする電源システム。
【発明の詳細な説明】
【技術分野】
【０００１】
本発明は、テレビ受像機などの放送受信機器に電源を供給する電源アダプタおよび電源システムに関するものである。
【背景技術】
【０００２】
テレビ受像機などの放送受信機では、主に小型のものでは電源アダプタからケーブルを通じて供給されるＤＣ電源を受けて駆動され、放送信号については、屋外アンテナから同軸ケーブルを通じて供給されるものを受けるように構成されたものが一般的である。このような一般的な放送受信機には、電源アダプタからケーブルを通じて供給される電源を受けるための接続部であるインレットの他、屋外アンテナから同軸ケーブルを通じて供給される放送信号を受けるための接続部であるコネクタを配置するために確保された空間が、小型化の妨げとなるなど、デザイン的な制約をもたらしていた。また、放送受信機の周辺において、電源ケーブルとアンテナ用同軸ケーブルなどの複数のケーブルが引き回されることは、視覚的な煩雑感は勿論、設置場所の選択上の制約が生じ、安全上も芳しくない。
【０００３】
ところで、電源の供給と放送信号の伝送を一本のケーブルを使って行う技術は既に公知であり、例えば、次のような技術がある。これは、テレビ受像機などの放送受信機から、電源供給が必要な、衛星放送アンテナへのＤＣ電源の供給と、衛星放送アンテナから放送受信機への放送信号の入力とを一本の同軸ケーブルを用いて行うものである。すなわち、放送受信機は衛星放送アンテナに伝送ケーブルを通じてＤＣ電源を供給する一方で、衛星放送アンテナは放送受信機にその伝送ケーブルを通じて放送信号を供給する（特許文献１参照）。
【０００４】
しかしながら、上記の公知技術では、放送受信機とアンテナとの接続において、放送受信機からアンテナへのＤＣ電源の供給とアンテナから放送受信機への放送信号の供給を１つの伝送ケーブルで行うものであり、放送受信機からのＤＣ電源の供給を要するアンテナを用いた場合のみ有効といえるものである。
【特許文献１】特開平０７−１２８４２６号公報
【発明の開示】
【発明が解決しようとする課題】
【０００５】
テレビ受像機などの放送受信機には、電源アダプタからケーブルを通じて供給される電源を受けるための接続部であるインレットの他、屋外アンテナから同軸ケーブルを通じて供給される放送信号を受けるための接続部であるコネクタを配置するために確保された空間が、小型化の妨げとなるなど、デザイン的な制約をもたらしていた。また、放送受信機の設置環境において、電源ケーブルとアンテナ用同軸ケーブルの２本が這うことは、視覚的な煩雑感は勿論、安全上も芳しくない、という課題があった。
【０００６】
本発明はこのような事情を鑑み、ＤＣ電源と放送信号を一本のケーブルで放送受信機に供給することのできる電源アダプタおよび電源システムを提供しようとするものである。
【課題を解決するための手段】
【０００７】
上記の課題を解決するために、本発明の電源アダプタは、放送信号を処理する放送受信機にＤＣ電源を供給する電源アダプタであって、ＡＣ電源からＤＣ電源を生成する変換器と、放送信号を入力する放送信号入力部と、前記放送信号入力部より入力された放送信号を前記変換器の出力に混合する混合器と、前記混合器の出力を前記放送受信機に供給する供給部とを具備する。
【０００８】
この発明によれば、変換器によってＡＣ電源から生成されたＤＣ電源に、放送信号入力部より入力された放送信号を混合して放送受信機に供給することによって、一本のケーブルで外部機器にＤＣ電源と放送信号を供給することができる。このため、放送受信機のアンテナ用の接続部またはＤＣ電源用の接続部が不要になり、放送受信機の製品デザイン上の制約が削減されるとともに、接続されるケーブルの数を減らせることによって、放送受信機の設置環境において視覚的な煩雑感が緩和され、かつ放送受信機の設置場所の選択上の制約も緩和される。
【０００９】
また、本発明の電源アダプタは、前記放送信号入力部より入力された放送信号を増幅する増幅回路をさらに有し、前記混合器は、前記増幅回路の出力と前記変換器の出力とを混合することとしてもよい。これにより、屋外アンテナによる放送信号の受信状況の劣化時に、電源アダプタ内で放送信号のレベルを上げて、放送受信機に送信することができる。
【００１０】
また、本発明の電源アダプタにおいて、前記放送信号入力部が、異なる複数の放送形態の放送信号を入力することが可能とされ、前記混合器は、前記放送信号入力部により入力された前記複数の放送形態の放送信号と前記変換器の出力とを混合することとしてもよい。
【００１１】
さらに、本発明の電源アダプタにおいて、前記放送信号入力部は、外部のアンテナからケーブルを通じて放送信号を入力するものであって、前記アンテナに駆動用のＤＣ電源を、前記放送信号入力部と前記アンテナとの間に接続された前記ケーブルを通じて供給するアンテナ用ＤＣ電源供給部をさらに具備することとしてもよい。これにより、ＤＣ電源の供給が必要なアンテナへのＤＣ電源の供給を電源アダプタから行うことができ、放送受信機からアンテナへのＤＣ電源の供給路が不要になって、放送受信機の接続部をさらに削減できる。
【００１２】
本発明の別の観点に基づく電源システムは、放送信号を処理する放送受信機と、この機器にＤＣ電源を供給する電源アダプタとを有する電源システムであって、前記電源アダプタは、ＡＣ電源からＤＣ電源を生成する変換器と、放送信号を入力する放送信号入力部と、前記放送信号入力部より入力された放送信号を前記変換器の出力に混合する混合器と、前記混合器の出力を前記放送受信機に供給する供給部とを具備し、前記放送受信機は、前記電源アダプタの出力から前記ＤＣ電源と前記放送信号を分離する分波部を具備することを特徴とする。
【発明の効果】
【００１３】
本発明によれば、ＤＣ電源と放送信号を一本のケーブルで放送受信機に供給することができる。これにより、放送受信機のアンテナ用の接続部またはＤＣ電源用の接続部が不要になり、放送受信機の製品デザイン上の制約が削減されるとともに、接続されるケーブルの数を減らせることによって、放送受信機の設置環境において視覚的な煩雑感が緩和され、かつ放送受信機の設置場所の選択上の制約も緩和される。
【発明を実施するための最良の形態】
【００１４】
以下、本発明を実施する場合の形態について図面を用いて説明する。
【００１５】
（第１の実施形態）
図１は本発明の第１の実施形態である電源システムの構成を示す図である。
【００１６】
同図に示すように、この電源システム１００は、商用ＡＣ電源からテレビ受像機２０を動作させるために必要なＤＣ電源を生成すると同時に、屋外アンテナにて受信された地上波放送信号、衛星放送信号などの放送信号（ＲＦ（Ｒａｄｉｏ Ｆｒｅｑｕｅｎｃｙ）信号、ＩＦ（Ｉｎｔｅｒｍｅｄｉａｔｅ Ｆｒｅｑｕｅｎｃｙ）信号）をＤＣ（直流）電源に重畳してテレビ受像機２０に供給する電源アダプタ１０と、電源アダプタ１０より重畳して供給されたＤＣ電源と放送信号とを分離して使用するテレビ受像機２０とで構成される。
【００１７】
次に、電源アダプタ１０の構成を説明する。
電源アダプタ１０は、ＡＣ（交流）電源ケーブル３１、ＡＣ−ＤＣコンバータ回路１１、同軸ケーブルコネクタ１２、入力フィルタ１３、増幅回路１４、混合器１５、スイッチ回路１６、スイッチ操作部１７、ＤＣ供給ケーブル３２などで構成される。
【００１８】
ＡＣ電源ケーブル３１は、一端に設けられた電源プラグを通じて商用ＡＣ電源を電源アダプタ１０内のＡＣ−ＤＣコンバータ回路１１の入力端とを接続するケーブルである。
【００１９】
ＡＣ−ＤＣコンバータ回路１１は、ＡＣ電源ケーブル３１を通じて接続された商用ＡＣ電源から所定のＤＣ電源を生成する回路である。ＡＣ−ＤＣコンバータ回路１１の基本的な構成は一般的な電源アダプタに内蔵されたものと同様であるが、ＡＣ−ＤＣコンバータ回路１１からは、テレビ受像機２０駆動用のＤＣ電源とは別に、電源アダプタ１０内の増幅回路１４を駆動するために必要なＤＣ電源を出力として取り出すようにしている。ＡＣ−ＤＣコンバータ回路１１のテレビ受像機２０駆動用のＤＣ電源の出力は混合器１５の２つの入力端のうちの一方と接続されている。
【００２０】
同軸ケーブルコネクタ１２は、地上波放送、衛星放送などの放送信号を受信する屋外アンテナに一端が接続された同軸ケーブル３３の他端に設けられたコネクタの着脱が自在なコネクタである。同軸ケーブルコネクタ１２の内部端子は入力フィルタ１３の入力端と接続されている。
【００２１】
入力フィルタ１３は、同軸ケーブルコネクタ１２を通じて入力された放送信号から不要な帯域成分を除去するＢＰＦ（Ｂａｎｄ−ｐａｓｓ ｆｉｌｔｅｒ）などである。入力フィルタ１３の出力端は増幅回路１４の入力端と接続されている。
【００２２】
増幅回路１４は、入力フィルタ１３を通過した放送信号を増幅する回路である。増幅回路１４の出力端は混合器１５の２つの入力端のうち、ＡＣ−ＤＣコンバータ回路１１の出力端と接続されていない側の入力端と接続されている。増幅回路１４には、出力のレベルを最適化するように、例えばＡＧＣ（Ａｕｔｏｍａｔｉｃ Ｇａｉｎ Ｃｏｎｔｒｏｌ）付きの増幅回路などを用いてもよい。
【００２３】
スイッチ回路１６は、増幅回路１４のオン／オフを切り替える回路である。スイッチ回路１６のオン／オフ状態の切り替えは、例えば、電源アダプタ１０の筐体外装に露出して設けたスイッチ操作部１７のマニュアル操作などによって行われる。
【００２４】
混合器１５は、ＡＣ−ＤＣコンバータ回路１１より入力されたＤＣ電源に増幅回路１４より入力された放送信号を重畳させる回路である。混合器１５の出力端は、テレビ受像機２０にＤＣ電源を供給するためのＤＣ供給ケーブル３２の一端と接続されている。
【００２５】
ＤＣ供給ケーブル３２は、放送信号が重畳されたＤＣ電源をテレビ受像機２０に供給するケーブルである。このＤＣ供給ケーブル３２には、外部からのノイズを受けにくくするように、また逆にＤＣ電源に重畳された放送信号による外部への不要な電界放射を抑制できるように、電源線がシールドされたシールド線や同軸線などが用いられている。
【００２６】
図２は入力フィルタ１３、スイッチ回路１６、増幅回路１４及び混合器１５の具体的な回路構成の例を示す図である。
【００２７】
同図に示すように、入力フィルタ１３は、例えば、インダクタとコンデンサを直列および並列に組み合わせた共振回路などで構成することが可能である。この例では、ある周波数帯域を通過させ、それより低い周波数帯域と高い周波数帯域を減衰させるＢＰＦの構成となっている。スイッチ回路１６は、増幅回路１４をバイパスする線路と、このバイパス線路の接続のオン／オフおよび増幅回路１４へのＤＣ電源の投入のオン／オフを切り替えるスイッチ素子とで構成される。スイッチ素子は、図１に示したスイッチ操作部１７のマニュアル操作などに連動して切り替えられる。バイパス線路の接続オンの時には増幅回路１４へのＤＣ電源投入はオフになり、放送信号の増幅出力はオフとなる。また、バイパス線路の接続オフ時には増幅回路１４へのＤＣ電源投入はオンになり、放送信号の増幅出力がオンになる。混合器１５は、例えば、インダクタとコンデンサを用いて構成される。重畳されたＤＣ電源と放送信号の出力端に対して、ＡＣ−ＤＣコンバータ回路１１の出力端はインダクタを介して接続され、増幅回路１４の出力端はコンデンサを介して接続される。これにより、不要なＡＣ成分によるＡＣ−ＤＣコンバータ回路１１の動作への影響、及び不要なＤＣ成分による増幅回路１４の動作への影響が回避されるようになっている。
【００２８】
次に、図１に戻って、テレビ受像機２０の分波部の構成を説明する。
【００２９】
テレビ受像機２０には、ＤＣインレット２１と分波器２２が設けられている。
【００３０】
ＤＣインレット２１は、電源アダプタ１０のＤＣ供給ケーブル３２のコネクタが着脱自在に接続される部分であり、これそのものは一般的なテレビ受像機に設けられたものと同様であるが、ＤＣインレット２１の出力端は分波器２２の入力端と接続されている。
【００３１】
分波器２２は、放送信号が重畳されたＤＣ電源からＤＣ電源と放送信号とを分離する回路である。分波器２２により分離されたＤＣ電源は、テレビ受像機２０内の、ＤＣ電源によって動作する回路や表示器などの各モジュールにＤＣ分配部２４を通じて供給され、分離された放送信号はテレビ受像機２０内のチューナ部２３に供給される。
【００３２】
図３は分波器２２の具体的な回路構成の例を示す図である。同図に示すように、分波器２２は、例えば、インダクタとコンデンサを用いて構成される。重畳されたＤＣ電源と放送信号の入力端に対して、放送信号処理回路であるチューナ部２３はコンデンサを介して接続され、ＤＣ電源によって動作する回路や表示器などの各モジュールにＤＣ電源を分配するＤＣ分配部２４はインダクタを介して接続されている。これにより、不要なＡＣ成分による各モジュールの動作への影響、及び不要なＤＣ成分によるチューナ部２３の動作への影響が回避されるようになっている。
【００３３】
次に、この電源システム１００の動作を説明する。
【００３４】
既に、電源アダプタ１０は、ＡＣ電源ケーブル３１を通じて商用ＡＣ電源と接続されているとともに、ＤＣ供給ケーブル３２を通じてテレビ受像機２０と接続され、さらに、電源アダプタ１０の同軸ケーブルコネクタ１２には、屋外アンテナと接続された同軸ケーブル３３のコネクタが接続されていることとする。
【００３５】
この状態で、電源アダプタ１０では、ＡＣ−ＤＣコンバータ回路１１によって、ＡＣ電源ケーブル３１を通じて供給された商用ＡＣ電源から所定のＤＣ電源の生成が行われる。このとき、ＡＣ−ＤＣコンバータ回路１１では、テレビ受像機２０駆動用のＤＣ電源とともに、増幅回路１４駆動用のＤＣ電源が同時に生成される。生成されたテレビ受像機２０駆動用のＤＣ電源は混合器１５の一方の入力端に印加され、生成された増幅回路１４駆動用のＤＣ電源は増幅回路１４の動作のオン／オフを制御するスイッチ回路１６に印加される。
【００３６】
また、電源アダプタ１０では、同軸ケーブルコネクタ１２より、屋外アンテナで受信された放送信号が取り込まれる。同軸ケーブルコネクタ１２より取り込まれた放送信号は、入力フィルタ１３に入力され、ここで不要な帯域成分が除去された後、増幅回路１４に入力される。放送信号は増幅回路１４にて増幅された後、一方の入力端にＤＣ電源が印加された混合器１５の他方の入力端に印加される。この結果、混合器１５から、放送信号が重畳されたＤＣ電源が得られ、ＤＣ供給ケーブル３２を通じてテレビ受像機２０へ供給される。
【００３７】
なお、ここでの説明は、スイッチ回路１６によって増幅回路１４の動作がオンに設定されている場合を想定している。屋外アンテナでの電波の受信状況が悪く、テレビ受像機２０に表示される画像の質が劣化したときなどには、増幅回路１４の動作をオンにするようにスイッチ操作部１７のマニュアル操作などによってスイッチ回路１６を切り替えればよい。屋外アンテナでの電波の受信状況が良好な場合には、増幅回路１４の動作をオフにするようにスイッチ回路１６を切り替えることによって、増幅回路やチューナの性能を超える強電界入力を避けられ、また、無駄な電力消費を避けることができる。
【００３８】
テレビ受像機２０では、ＤＣ供給ケーブル３２を通じて供給された、放送信号が重畳されたＤＣ電源が分波器２２にてＤＣ電源と放送信号とに分離され、分離されたＤＣ電源はテレビ受像機２０内の、ＤＣ電源によって動作する回路や表示器などの各モジュール（チューナ部２３を含む。）に供給され、分離された放送信号はチューナ部２３に供給される。チューナ部２３は、ユーザによって選局されたチャンネルに対応する放送信号の検波、復調などの処理を行い、後段の信号処理回路（図示せず）へ出力する。後段の信号処理回路では、映像／音声の分離、復号、Ｄ／Ａ変換などの処理が行われ、表示器への映像の表示、スピーカからの音声の出力が行われる
【００３９】
以上説明したように、この実施形態の電源システム１００によれば、電源アダプタ１０内でＤＣ電源に屋外アンテナで受信された放送信号を重畳し、一本のＤＣ供給ケーブル３２を使ってテレビ受像機２０に供給することができる。このため、テレビ受像機２０の外部アンテナ端子が不要になり、製品デザイン上の制約が削減される。さらに、これまでテレビ受像機２０には電源ケーブルと放送信号用同軸ケーブルの２本が接続されていたため機器周辺の見た目も煩雑になりやすかったが、この電源システム１００によってテレビ受像機２０に接続されるケーブルは電源ケーブル（ＤＣ供給ケーブル３２）のみとなり、見た目の煩雑さが解消される。
【００４０】
なお、ＤＣ電源に重畳してテレビ受像機２０に供給する放送信号としては、地上波放送信号に限定されず、衛星放送信号、地上デジタルラジオ放送信号、ＣＡＴＶデジタル放送信号放送信号であってもよい。
【００４１】
（第２の実施形態）
次に、本発明の第２の実施形態としての電源システムを説明する。
図４は本発明の第２の実施形態である電源システム２００の構成を示す図である。
【００４２】
この実施形態は、複数の放送形態の放送信号を受信可能なテレビ受像機２０Ａを用いた場合に好適な電源システム１００Ａおよび電源アダプタ１０Ａである。
【００４３】
同図に示すように、この電源システム２００は、商用ＡＣ電源からテレビ受像機２０Ａを動作させるために必要なＤＣ電源を生成すると同時に、この生成されたＤＣ電源に、異なる複数の放送形態それぞれに対応する複数の屋外アンテナ４１，４２によって受信されたそれぞれの放送信号（ＲＦ（Ｒａｄｉｏ Ｆｒｅｑｕｅｎｃｙ）信号、ＩＦ（Ｉｎｔｅｒｍｅｄｉａｔｅ Ｆｒｅｑｕｅｎｃｙ）信号）をＤＣ電源に重畳してテレビ受像機２０Ａに供給する電源アダプタ１０Ａと、電源アダプタ１０Ａより重畳して入力されたＤＣ電源と放送形態毎の放送信号とをそれぞれ分離して使用するテレビ受像機２０Ａとで構成される。
【００４４】
次に、電源アダプタ１０Ａの構成を説明する。
なお、この例では、電源アダプタ１０ＡにおいてＤＣ電源に重畳される複数の放送形態の放送信号が地上波放送信号と衛星放送信号であるとする。
【００４５】
電源アダプタ１０Ａは、ＡＣ電源ケーブル３１、ＡＣ−ＤＣコンバータ回路１１、地上波放送同軸ケーブルコネクタ１２Ａ、地上波放送入力フィルタ１３Ａ、地上波放送増幅回路１４Ａ、地上波放送スイッチ回路１６Ａ、地上波放送スイッチ操作部１７Ａ、衛星放送同軸ケーブルコネクタ１２Ｂ、衛星放送入力フィルタ１３Ｂ、衛星放送増幅回路１４Ｂ、衛星放送スイッチ回路１６Ｂ、衛星放送スイッチ操作部１７Ｂ、放送信号混合器１８、混合器１５、衛星アンテナ用ＤＣ電源供給回路１９、混合器／分波器９、ＤＣ供給ケーブル３２などで構成される。
【００４６】
ＡＣ電源ケーブル３１は、一端に設けられた電源プラグを通じて商用ＡＣ電源を電源アダプタ１０Ａ内のＡＣ−ＤＣコンバータ回路１１の入力端とを接続するケーブルである。
【００４７】
ＡＣ−ＤＣコンバータ回路１１は、ＡＣ電源ケーブル３１を通じて接続された商用ＡＣ電源から所定のＤＣ電源を生成する回路である。ＡＣ−ＤＣコンバータ回路１１の構成は一般的な電源アダプタに内蔵されたものと同様であるが、ＡＣ−ＤＣコンバータ回路１１からはテレビ受像機２０駆動用のＤＣ電源とは別に、電源アダプタ１０Ａ内の地上波放送増幅回路１４Ａを駆動するために必要なＤＣ電源、衛星放送増幅回路１４Ｂを駆動するために必要なＤＣ電源、そして衛星放送信号を受信する衛星放送受信アンテナ４２を駆動するために必要なＤＣ電源を出力としてそれぞれ取り出すようにしている。ＡＣ−ＤＣコンバータ回路１１のテレビ受像機２０駆動用のＤＣ電源の出力端は混合器１５の２つの入力端のうちの一方と接続されている。
【００４８】
地上波放送同軸ケーブルコネクタ１２Ａは、地上波放送信号を受信する地上波放送受信アンテナ４１に一端が接続された同軸ケーブル３３Ａの他端に設けられたコネクタの着脱が自在なコネクタである。地上波放送同軸ケーブルコネクタ１２Ａの内部端子は地上波放送入力フィルタ１３Ａの入力端と接続されている。
【００４９】
地上波放送入力フィルタ１３Ａは、地上波放送同軸ケーブルコネクタ１２Ａを通じて入力された地上波放送信号から不要な帯域成分を除去するＢＰＦフィルタなどである。地上波放送入力フィルタ１３Ａの出力端は地上波放送増幅回路１４Ａの入力端と接続されている。
【００５０】
地上波放送増幅回路１４Ａは、地上波放送入力フィルタ１３Ａの出力を増幅する回路である。地上波放送増幅回路１４Ａの出力端は放送信号混合器１８の２つの入力端のうちの一方と接続されている。地上波放送増幅回路１４Ａには、出力のレベルを最適化するように、例えばＡＧＣ（Ａｕｔｏｍａｔｉｃ Ｇａｉｎ Ｃｏｎｔｒｏｌ）付きの増幅回路などを用いてもよい。
【００５１】
地上波放送スイッチ回路１６Ａは、地上波放送増幅回路１４Ａのオン／オフを切り替える回路である。地上波放送スイッチ回路１６Ａのオン／オフ状態の切り替えは、例えば、電源アダプタ１０Ａの筐体外装に露出して設けた地上波放送スイッチ操作部１７Ａのマニュアル操作などによって行われる。
【００５２】
衛星放送同軸ケーブルコネクタ１２Ｂは、衛星放送信号を受信する衛星放送受信アンテナ４２に一端が接続された同軸ケーブル３３Ｂの他端に設けられたコネクタの着脱が自在なコネクタである。衛星放送同軸ケーブルコネクタ１２Ｂの内部端子は混合器／分波器９の入力端と接続されている。
【００５３】
混合器／分波器９は、衛星アンテナ用ＤＣ電源供給回路１９より供給されたＤＣ電源を衛星放送同軸ケーブルコネクタ１２Ｂおよび同軸ケーブル３３Ｂを通じて衛星放送受信アンテナ４２に供給し、かつ衛星放送受信アンテナ４２から同軸ケーブル３３Ｂおよび衛星放送同軸ケーブルコネクタ１２Ｂを通じて入力された衛星放送信号をＤＣ電源から分離して衛星放送入力フィルタ１３Ｂの入力端に供給する回路である。
【００５４】
衛星放送入力フィルタ１３Ｂは、混合器／分波器９を通じて入力された衛星放送信号から不要な帯域成分を除去するＢＰＦフィルタなどである。衛星放送入力フィルタ１３Ｂの出力端は衛星放送増幅回路１４Ｂの入力端と接続されている。
【００５５】
衛星放送増幅回路１４Ｂは、衛星放送入力フィルタ１３Ｂの出力を増幅する回路である。衛星放送増幅回路１４Ｂの出力端は、一方の入力端に地上波放送増幅回路１４Ａの出力端が接続された放送信号混合器１８の他方の入力端と接続されている。衛星放送増幅回路１４Ｂには、出力のレベルを最適化するように、例えばＡＧＣ（Ａｕｔｏｍａｔｉｃ Ｇａｉｎ Ｃｏｎｔｒｏｌ）付きの増幅回路などを用いてもよい。
【００５６】
衛星放送スイッチ回路１６Ｂは、衛星放送増幅回路１４Ｂのオン／オフを切り替える回路である。衛星放送スイッチ回路１６Ｂのオン／オフ状態の切り替えは、例えば、電源アダプタ１０Ａの筐体外装に露出して設けた衛星放送スイッチ操作部１７Ｂのマニュアル操作などによって行われる。
【００５７】
放送信号混合器１８は、２つの入力端より入力された地上波放送信号と衛星放送信号とを混合して出力する。放送信号混合器１８の出力端は混合器１５の一方の入力端と接続されている。
【００５８】
混合器１５は、ＡＣ−ＤＣコンバータ回路１１より出力されたＤＣ電源に、放送信号混合器１８より出力された地上波放送信号と衛星放送信号との混合放送信号を重畳させる回路である。混合器１５の出力端は、テレビ受像機２０ＡにＤＣ電源を供給するためのＤＣ供給ケーブル３２の一端と接続されている。
【００５９】
ＤＣ供給ケーブル３２は、地上波放送信号と衛星放送信号との混合放送信号が重畳されたＤＣ電源をテレビ受像機２０Ａに供給するケーブルである。このＤＣ供給ケーブル３２には、外部からのノイズを受けにくくするように、また逆にＤＣ電源に重畳された放送信号による外部への不要な電界放射を抑制できるように、電源線がシールドされたシールド線や同軸線などが用いられている。
【００６０】
次に、テレビ受像機２０Ａの分波部の構成を説明する。
【００６１】
テレビ受像機２０Ａには、ＤＣインレット２１、ＤＣ／放送信号分波器２２Ａ、放送信号分波器２２Ｂが設けられている。
【００６２】
ＤＣインレット２１は、電源アダプタ１０ＡのＤＣ供給ケーブル３２のコネクタが着脱自在に接続される部分であり、これそのものは一般的なテレビ受像機に設けられたものと同様であるが、ＤＣインレット２１はＤＣ／放送信号分波器２２Ａの入力端と接続されている。
【００６３】
ＤＣ／放送信号分波器２２Ａは、地上波放送信号と衛星放送信号との混合放送信号が重畳されたＤＣ電源からＤＣ電源と混合放送信号とを分離する。ＤＣ／放送信号分波器２２Ａにより分離されたＤＣ電源は、テレビ受像機２０Ａ内の、ＤＣ電源によって動作する回路や表示器などの各モジュールにＤＣ分配部２４を通じて供給され、分離された混合放送信号は放送信号分波器２２Ｂに出力される。
【００６４】
放送信号分波器２２Ｂは、ＤＣ／放送信号分波器２２Ａにより分離された混合放送信号から地上波放送信号と衛星放送信号とをそれぞれ分離し、地上波放送信号を、テレビ受像機２０Ａ内の地上波放送用チューナ部２３Ａに供給し、衛星放送信号を衛星放送用チューナ部２３Ｂに供給する。
【００６５】
次に、この電源システム２００の動作を説明する。
【００６６】
既に、電源アダプタ１０Ａは、ＡＣ電源ケーブル３１を通じて商用ＡＣ電源と接続されているとともに、ＤＣ供給ケーブル３２を通じてテレビ受像機２０Ａと接続されていることとする。また、電源アダプタ１０Ａの地上波放送同軸ケーブルコネクタ１２Ａには、地上波放送受信アンテナ４１からの同軸ケーブル３３Ａが接続され、衛星放送同軸ケーブルコネクタ１２Ｂには衛星放送受信アンテナ４２からの同軸ケーブル３３Ｂが接続されていることとする。
【００６７】
この状態から、電源アダプタ１０Ａでは、ＡＣ−ＤＣコンバータ回路１１によって、ＡＣ電源ケーブル３１を通じて供給された商用ＡＣ電源から所定のＤＣ電源の生成が行われる。このとき、ＡＣ−ＤＣコンバータ回路１１は、テレビ受像機２０Ａ駆動用のＤＣ電源を生成して混合器１５の一方の入力端に印加とともに、地上波放送増幅回路１４Ａおよび衛星放送増幅回路１４Ｂをそれぞれ駆動するためのＤＣ電源を生成して地上波放送増幅回路１４Ａおよび衛星放送増幅回路１４Ｂの電源入力端にそれぞれ印加する。さらに、ＡＣ−ＤＣコンバータ回路１１は、衛星放送受信アンテナ４２を駆動するために必要なＤＣ電源を生成して衛星アンテナ用ＤＣ電源供給回路１９に印加する。
【００６８】
衛星アンテナ用ＤＣ電源供給回路１９は、ＡＣ−ＤＣコンバータ回路１１より供給されたＤＣ電源を混合器／分波器９、衛星放送同軸ケーブルコネクタ１２Ｂ、同軸ケーブル３３Ｂを通じて衛星放送受信アンテナ４２に供給する。これにより、衛星放送受信アンテナ４２が駆動されて衛星放送信号の受信が可能になる。衛星放送受信アンテナ４２で受信された衛星放送信号は、同軸ケーブル３３Ｂ、衛星放送同軸ケーブルコネクタ１２Ｂ、混合器／分波器９に入力される。ここで、衛星放送信号はＤＣ電源から分離され、衛星放送入力フィルタ１３Ｂに入力され、ここで、不要な帯域成分が除去される。衛星放送入力フィルタ１３Ｂを通過した衛星放送信号は、衛星放送増幅回路１４Ｂにて増幅された後、放送信号混合器１８の一方の入力端に印加される。
【００６９】
また、電源アダプタ１０Ａでは、地上波放送同軸ケーブルコネクタ１２Ａより、地上波放送受信アンテナ４１で受信された地上波放送信号が入力される。入力された地上波放送信号は、地上波放送入力フィルタ１３Ａによって不要な帯域成分が除去された後、地上波放送増幅回路１４Ａに入力され、ここで増幅された後、一方の入力端に衛星放送信号が印加された放送信号混合器１８の他方の入力端に印加される。
【００７０】
放送信号混合器１８は、２つの入力端より入力された地上波放送信号と衛星放送信号とを混合して、一方の入力端にＤＣ電源が印加された混合器１５の他方の入力端に印加する。この結果、混合器１５からは、地上波放送信号と衛星放送信号との混合放送信号が重畳されたＤＣ電源が得られ、この混合放送信号が重畳されたＤＣ電源はＤＣ供給ケーブル３２を通じてテレビ受像機２０Ａの側へ供給される。
【００７１】
なお、ここでは、地上波放送スイッチ回路１６Ａによって地上波放送増幅回路１４Ａの動作がオンに設定され、衛星放送スイッチ回路１６Ｂによっても衛星放送増幅回路１４Ｂの動作がオンに設定されている場合を想定している。すなわち、地上波放送受信アンテナ４１、衛星放送受信アンテナ４２での電波の受信状況が悪く、テレビ受像機２０Ａに表示される画像の質が劣化したときなどには、地上波放送増幅回路１４Ａおよび衛星放送増幅回路１４Ｂのそれぞれの動作がオンになるよう地上波放送スイッチ操作部１７Ａおよび衛星放送スイッチ操作部１７Ｂのマニュアル操作などによって地上波放送増幅回路１４Ａ、衛星放送増幅回路１４Ｂの動作をオフにするように地上波放送スイッチ回路１６Ａ、衛星放送スイッチ回路１６Ｂを、それぞれ個別に切り替えることによって、増幅回路やチューナの性能を超える強電界入力を避けられ、また、無駄な電力消費を避けることができる。
【００７２】
テレビ受像機２０Ａでは、ＤＣインレット２１に接続されたＤＣ供給ケーブル３２を通じて、地上波放送信号と衛星放送信号との混合放送信号が重畳されたＤＣ電源の供給を受ける。テレビ受像機２０Ａでは、まず、ＤＣ／放送信号分波器２２Ａにて、ＤＣ電源と放送信号とが分離される。分離されたＤＣ電源はテレビ受像機２０Ａ内の、ＤＣ電源によって動作する回路や表示器などの各モジュール（地上波放送用チューナ部２３Ａ、衛星放送用チューナ部２３Ｂ）にＤＣ分配部２４を介して供給される。一方、ＤＣ／放送信号分波器２２Ａにて分離された放送信号は放送信号分波器２２Ｂに供給され、地上波放送信号と衛星放送信号とに分離され、地上波放送信号は地上波放送用チューナ部２３Ａに、衛星放送信号は衛星放送用チューナ部２３Ｂにそれぞれ供給される。
【００７３】
地上波放送用チューナ部２３Ａおよび衛星放送用チューナ部２３Ｂでは、ユーザによって選局されたチャンネルに対応する放送信号の検波、復調などの処理を行い、後段の信号処理回路（図示せず）へ出力する。後段の信号処理回路では、映像／音声の分離、復号、Ｄ／Ａ変換などの処理が行われ、表示器への映像の表示、スピーカからの音声の出力が行われる
【００７４】
以上説明したように、この実施形態の電源システム２００によれば、電源アダプタ１０Ａ内でＤＣ電源に、地上波放送受信アンテナ４１で受信された地上波放送信号と、衛星放送受信アンテナ４２で受信された衛星放送信号を重畳して、一本のＤＣ供給ケーブル３２を使ってテレビ受像機２０Ａに供給することができる。このため、テレビ受像機２０Ａの地上波放送用と衛星放送用のそれぞれの外部アンテナ端子が不要になり、製品デザイン上の制約が削減される。さらに、これまでテレビ受像機２０Ａには電源ケーブルとアンテナ用同軸ケーブル数本が接続されていたため機器周辺の見た目も煩雑になりやすかったが、この電源システム２００によってテレビ受像機２０Ａに接続されるケーブルは電源ケーブル（ＤＣ供給ケーブル３２）のみとなり、見た目の煩雑さが解消される。
【００７５】
また、この実施形態の電源システム２００では、電源アダプタ１０Ａ内で衛星放送受信アンテナ４２を駆動するＤＣ電源を生成し、衛星アンテナ用ＤＣ電源供給回路１９により、混合器／分波器９、衛星放送同軸ケーブルコネクタ１２Ｂ、同軸ケーブル３３Ｂを通じて衛星放送受信アンテナ４２に供給するようにしたので、テレビ受像機２０Ａから衛星放送受信アンテナ４２へのＤＣ電源の供給路が不要になって、テレビ受像機２０Ａの接続部をさらに削減できる。
【００７６】
なお、ＤＣ電源に重畳してテレビ受像機２０に供給する放送信号としては、地上波放送信号と衛星放送信号に限定されず、地上デジタルラジオ放送信号、ＣＡＴＶデジタル放送信号であってもよい。
【００７７】
放送受信機は、チューナを内蔵した機器であれば何でもよく、テレビ受像機のほか、ラジオ受信機、チューナ内蔵型の録画再生機、チューナ機能をインストールしたＰＣも、本発明に係る放送受信機の範疇である。
【００７８】
本発明は、上述の実施形態にのみ限定されるものではなく、本発明の要旨を逸脱しない範囲内において種々更新を加え得ることは勿論である。
【図面の簡単な説明】
【００７９】
【図１】本発明の第１の実施形態である電源システムの構成を示す図である。
【図２】図１の電源アダプタ内の入力フィルタ、スイッチ回路、増幅回路及び混合器の具体的な回路構成の例を示す図である。
【図３】図１のテレビ受像機内の分波器の具体的な回路構成の例を示す図である。
【図４】本発明の第２の実施形態である電源システムの構成を示す図である。
【符号の説明】
【００８０】
９      混合器／分波器
１０    電源アダプタ
１０Ａ  電源アダプタ
１１    ＡＣ−ＤＣコンバータ回路
１４    増幅回路
１４Ａ  地上波放送増幅回路
１４Ｂ  衛星放送増幅回路
１５    混合器
１８    放送信号混合器
１９    衛星アンテナ用ＤＣ電源供給回路
２０    テレビ受像機
２０Ａ  テレビ受像機
２２    分波器
２２Ａ  ＤＣ／放送信号分波器
２２Ｂ  放送信号分波器
２３    チューナ部
２３Ａ  地上波放送用チューナ部
２３Ｂ  衛星放送用チューナ部
３１    ＡＣ電源ケーブル
３２    ＤＣ供給ケーブル
４１    屋外アンテナ
４１    地上波放送受信アンテナ
４２    衛星放送受信アンテナ
１００  電源システム
２００  電源システム
【図１】
2009164879.tif 000003
【図２】
2009164879.tif 000004
【図３】
2009164879.tif 000005
【図４】
2009164879.tif 000006